(57)【特許請求の範囲】
【請求項１】
第１種通信方式を用いる第１の通信システム、又は第２種通信方式を用いる第２の通信システムのいずれかを選択して無線通信を行う無線端末装置であって、
前記第１の通信システムにおいて位置登録されている状態で、前記第２の通信システムにおける通信要求が生じた場合、当該通信要求を、前記第２の通信システムの種別を識別するためのデータを伴って、前記第１の通信システムへ通知する通知部と、
前記通知部により通知されたデータに基づいて前記第１の通信システムで識別された前記第２の通信システムにおける通信チャネルの同期情報を受信し、当該通信チャネルと同期して通信を開始する同期部と、を備える無線端末装置。
【請求項２】
第１種通信方式を用いる第１の通信システム、又は第２種通信方式を用いる第２の通信システムのいずれかを選択して無線通信を行う無線端末装置であって、
前記第１の通信システムにおいて位置登録されている状態で、前記第２の通信システムにおける着信が生じた場合、当該着信に係る着信通知を前記第１の通信システムにて受信し、その後、当該着信通知に対する着信応答を、前記第２の通信システムの種別を識別するためのデータを伴って、前記第１の通信システムへ通知する通知部と、
前記通知部により通知されたデータに基づいて前記第１の通信システムで識別された前記第２の通信システムにおける通信チャネルの同期情報を受信し、当該通信チャネルと同期して通信を開始する同期部と、を備える無線端末装置。
【請求項３】
前記第２の通信システムは、前記第２種通信方式を用いる複数の通信システムのうちの１つである請求項１又は請求項２に記載の無線端末装置。
【請求項４】
前記同期部は、前記同期情報として、通信チャネルを識別するデータと共に、前記第１の通信システムのシステムタイムに対する前記第２の通信システムのシステムタイムのオフセット量を受信する請求項１から請求項３のいずれか１項に記載の無線端末装置。
【請求項５】
前記同期部は、前記第１の通信システムにおいて保持され、３ＧＰＰ  ＴＳ  ２３．２７２に規定されているＣＳ  Ｆａｌｌｂａｃｋ機能のマッピングデータに基づいて、前記第１の通信システムの呼出ゾーンに対応する前記第２の通信システムの呼出ゾーンの基地局と同期する請求項１から請求項４のいずれか１項に記載の無線端末装置。
【請求項６】
着脱可能な契約情報記録媒体を備え、
前記通知部は、前記第２の通信システムの種別を識別するためのデータを、前記契約情報記録媒体に記録される契約通信事業者の情報に基づいて生成する請求項１から請求項５のいずれか１項に記載の無線端末装置。
【請求項７】
第１種通信方式を用いる第１の通信システム、又は第２種通信方式を用いる第２の通信システムのいずれかを選択して無線通信を行う無線端末装置の制御方法であって、
前記第１の通信システムにおいて位置登録されている状態で、前記第２の通信システムにおける通信要求が生じた場合、当該通信要求を、前記第２の通信システムの種別を識別するためのデータを伴って、前記第１の通信システムへ通知する通知ステップと、
前記通知ステップにおいて通知されたデータに基づいて前記第１の通信システムで識別された前記第２の通信システムにおける通信チャネルの同期情報を受信し、当該通信チャネルと同期して通信を開始する同期ステップと、を含む制御方法。
【請求項８】
第１種通信方式を用いる第１の通信システム、又は第２種通信方式を用いる第２の通信システムのいずれかを選択して無線通信を行う無線端末装置の制御方法であって、
前記第１の通信システムにおいて位置登録されている状態で、前記第２の通信システムにおける着信が生じた場合、当該着信に係る着信通知を前記第１の通信システムにて受信し、その後、当該着信通知に対する着信応答を、前記第２の通信システムの種別を識別するためのデータを伴って、前記第１の通信システムへ通知する通知ステップと、
前記通知ステップにおいて通知されたデータに基づいて前記第１の通信システムで識別された前記第２の通信システムにおける通信チャネルの同期情報を受信し、当該通信チャネルと同期して通信を開始する同期ステップと、を含む制御方法。
【請求項９】
第１の通信システム又は第２の通信システムによって無線通信を行うユーザ機器であって、
前記第１の通信システムにおいて位置登録されている状態で、前記第２の通信システムにおける通信要求が生じた場合、当該通信要求を、前記第２の通信システムの種別を識別するためのデータを伴って前記第１の通信システムへ通知する通知部を備えるユーザ機器。
【請求項１０】
第１の通信システム又は第２の通信システムによって無線通信を行うユーザ機器であって、
前記第１の通信システムにおいて位置登録されている状態で、前記第２の通信システムにおける着信が生じた場合、当該着信に係る着信通知を前記第１の通信システムにて受信し、その後、当該着信通知に対する着信応答を、前記第２の通信システムの種別を識別するためのデータを伴って前記第１の通信システムへ通知する通知部を備えるユーザ機器。
【請求項１１】
第１の通信システム又は第２の通信システムによって無線通信を行うユーザ機器であって、
前記第１の通信システムにおいて位置登録されている状態で、前記第２の通信システムにおける通信要求が生じた場合、当該通信要求を、前記第２の通信システムの種別に応じたフォーマットによって前記第１の通信システムへ通知する通知部を備えるユーザ機器。
【請求項１２】
第１の通信システム又は第２の通信システムによって無線通信を行うユーザ機器であって、
前記第１の通信システムにおいて位置登録されている状態で、前記第２の通信システムにおける着信が生じた場合、当該着信に係る着信通知を前記第１の通信システムによって受信し、その後、当該着信通知に対する着信応答を、前記第２の通信システムの種別に応じたフォーマットによって前記第１の通信システムへ通知する通知部を備えるユーザ機器。
【請求項１３】
第１の通信システムに位置登録されているユーザ機器から、第２の通信システムの種別に応じたフォーマットによって通信要求を受信した場合、当該フォーマットに対応する種別の前記第２の通信システムの制御装置へ通信要求を通知する制御装置。
【請求項１４】
第１の通信システムに位置登録されているユーザ機器から、第２の通信システムの種別に応じたフォーマットによって着信応答を受信した場合、当該フォーマットに対応する種別の前記第２の通信システムの制御装置へ着信応答を通知する制御装置。
【請求項１５】
第１の通信システムに位置登録されているユーザ機器から、第２の通信システムの種別を識別するためのデータを伴って通信要求を受信した場合、当該データに対応する種別の前記第２の通信システムの制御装置へ通信要求を通知する制御装置。
【請求項１６】
第１の通信システムに位置登録されているユーザ機器から、第２の通信システムの種別を識別するためのデータを伴って着信応答を受信した場合、当該データに対応する種別の前記第２の通信システムの制御装置へ着信応答を通知する制御装置。
【発明の詳細な説明】
【技術分野】
【０００１】
本発明は、複数の通信システムで通信可能な無線端末装置及びその制御方法に関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式である３Ｇ方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【０００３】
ところが、無線端末装置では、ＬＴＥ方式の通信システム（以下、ＬＴＥシステムという）とＣＤＭＡ方式の通信システム（以下、ＣＤＭＡシステムという）との双方を同時に利用することができない。そこで、通常、無線端末装置は、データ通信時にはＬＴＥ方式の通信システム（以下、ＬＴＥシステムという）での通信を優先し、音声通話時には、３Ｇ方式の通信システム（以下、３Ｇシステムという）での通信へ切り替えるが、無線端末装置は、ＬＴＥシステムを利用中に、ＣＤＭＡシステムのページングチャネルを取得できず、着信の有無を知ることができなかった。
【０００４】
そこで、３ＧＰＰ  ＴＳ  ２３．２７２において、ＣＳ  Ｆａｌｌｂａｃｋ機能が規定され、この機能により、ＬＴＥシステムでＣＤＭＡシステムからの着信要求を通知することができる（例えば、特許文献１及び非特許文献１参照）。
【０００５】
ＣＳ  Ｆａｌｌｂａｃｋ機能では、ＬＴＥシステムのネットワークに在圏している無線端末装置に対してＣＤＭＡシステムの音声着信があると、この着信呼出は、ＣＳドメインからＥＰＣ（Ｅｖｏｌｖｅｄ  Ｐａｃｋｅｔ  Ｃｏｒｅ）を経由して、無線端末装置へ通知される。着信呼出を受けた無線端末装置は、ＣＳによる音声着信であることを識別し、ＣＤＭＡシステムを捕捉する。そして、無線端末装置は、着信呼出に対する応答をＣＤＭＡシステムへ送信し、ＣＤＭＡシステムの制御によって音声サービスが提供される。
【０００６】
また、例えば、携帯電話機においては、ＳＩＭ（Ｓｕｂｓｃｒｉｂｅｒ  Ｉｄｅｎｔｉｔｙ  Ｍｏｄｕｌｅ）カードに加入者情報が記憶され、このＳＩＭカードを他の携帯電話機に差し替えることにより、機種変更を完了させる方法が取られている。
【先行技術文献】
【特許文献】
【０００７】
【特許文献１】特開２００９−２６７９９６号公報
【非特許文献】
【０００８】
【非特許文献１】３ＧＰＰ  ＴＳ  ２３．２７２  Ｖ１０．１．０，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１０−０９
【発明の概要】
【発明が解決しようとする課題】
【０００９】
しかしながら、ＳＩＭカードにより、通信事業者が異なる機種へ差し替える場合、Ｗ−ＣＤＭＡとＣＤＭＡ２０００＿１ｘのように、同じ３Ｇ通信方式であっても異なる通信システムとなる場合がある。この場合でも新たな機種で通信を可能とするためには、両通信システムのいずれをも捕捉して通信を確立させるためのソフトウェアが搭載される必要があり、通信確立に多くの時間を要する。
【００１０】
本発明は、複数の通信システムによりスムーズに対応するための無線端末装置及びその制御方法を提供することを目的とする。
【課題を解決するための手段】
【００１１】
本発明に係る無線端末装置は、第１種通信方式を用いる第１の通信システム、又は第２種通信方式を用いる第２の通信システムのいずれかを選択して無線通信を行う無線端末装置であって、前記第１の通信システムにおいて位置登録されている状態で、前記第２の通信システムにおける通信要求が生じた場合、当該通信要求を、前記第２の通信システムの種別を識別するためのデータを伴って、前記第１の通信システムへ通知する通知部と、前記通知部により通知されたデータに基づいて前記第１の通信システムで識別された前記第２の通信システムにおける通信チャネルの同期情報を受信し、当該通信チャネルと同期して通信を開始する同期部と、を備える。
【００１２】
また、本発明に係る無線端末装置は、第１種通信方式を用いる第１の通信システム、又は第２種通信方式を用いる第２の通信システムのいずれかを選択して無線通信を行う無線端末装置であって、前記第１の通信システムにおいて位置登録されている状態で、前記第２の通信システムにおける着信が生じた場合、当該着信に係る着信通知を前記第１の通信システムにて受信し、その後、当該着信通知に対する着信応答を、前記第２の通信システムの種別を識別するためのデータを伴って、前記第１の通信システムへ通知する通知部と、前記通知部により通知されたデータに基づいて前記第１の通信システムで識別された前記第２の通信システムにおける通信チャネルの同期情報を受信し、当該通信チャネルと同期して通信を開始する同期部と、を備える。
【００１３】
また、前記第２の通信システムは、前記第２種通信方式を用いる複数の通信システムのうちの１つであってもよい。
また、前記同期部は、前記同期情報として、通信チャネルを識別するデータと共に、前記第１の通信システムのシステムタイムに対する前記第２の通信システムのシステムタイムのオフセット量を受信してもよい。
また、前記同期部は、前記第１の通信システムにおいて保持され、３ＧＰＰ  ＴＳ  ２３．２７２に規定されているＣＳ  Ｆａｌｌｂａｃｋ機能のマッピングデータに基づいて、前記第１の通信システムの呼出ゾーンに対応する前記第２の通信システムの呼出ゾーンの基地局と同期してもよい。
また、本発明に係る無線端末装置は、着脱可能な契約情報記録媒体を備え、前記通知部は、前記第２の通信システムの種別を識別するためのデータを、前記契約情報記録媒体に記録される契約通信事業者の情報に基づいて生成してもよい。
【００１４】
本発明に係る制御方法は、第１種通信方式を用いる第１の通信システム、又は第２種通信方式を用いる第２の通信システムのいずれかを選択して無線通信を行う無線端末装置の制御方法であって、前記第１の通信システムにおいて位置登録されている状態で、前記第２の通信システムにおける通信要求が生じた場合、当該通信要求を、前記第２の通信システムの種別を識別するためのデータを伴って、前記第１の通信システムへ通知する通知ステップと、前記通知ステップにおいて通知されたデータに基づいて前記第１の通信システムで識別された前記第２の通信システムにおける通信チャネルの同期情報を受信し、当該通信チャネルと同期して通信を開始する同期ステップと、を含む。
【００１５】
また、本発明に係る制御方法は、第１種通信方式を用いる第１の通信システム、又は第２種通信方式を用いる第２の通信システムのいずれかを選択して無線通信を行う無線端末装置の制御方法であって、前記第１の通信システムにおいて位置登録されている状態で、前記第２の通信システムにおける着信が生じた場合、当該着信に係る着信通知を前記第１の通信システムにて受信し、その後、当該着信通知に対する着信応答を、前記第２の通信システムの種別を識別するためのデータを伴って、前記第１の通信システムへ通知する通知ステップと、前記通知ステップにおいて通知されたデータに基づいて前記第１の通信システムで識別された前記第２の通信システムにおける通信チャネルの同期情報を受信し、当該通信チャネルと同期して通信を開始する同期ステップと、を含む。
【００１６】
本発明に係るユーザ機器は、第１の通信システム又は第２の通信システムによって無線通信を行うユーザ機器であって、前記第１の通信システムにおいて位置登録されている状態で、前記第２の通信システムにおける通信要求が生じた場合、当該通信要求を、前記第２の通信システムの種別を識別するためのデータを伴って前記第１の通信システムへ通知する通知部を備える。
本発明に係るユーザ機器は、第１の通信システム又は第２の通信システムによって無線通信を行うユーザ機器であって、前記第１の通信システムにおいて位置登録されている状態で、前記第２の通信システムにおける着信が生じた場合、当該着信に係る着信通知を前記第１の通信システムにて受信し、その後、当該着信通知に対する着信応答を、前記第２の通信システムの種別を識別するためのデータを伴って前記第１の通信システムへ通知する通知部を備える。
【００１７】
本発明に係るユーザ機器は、第１の通信システム又は第２の通信システムによって無線通信を行うユーザ機器であって、前記第１の通信システムにおいて位置登録されている状態で、前記第２の通信システムにおける通信要求が生じた場合、当該通信要求を、前記第２の通信システムの種別に応じたフォーマットによって前記第１の通信システムへ通知する通知部を備える。
本発明に係るユーザ機器は、第１の通信システム又は第２の通信システムによって無線通信を行うユーザ機器であって、前記第１の通信システムにおいて位置登録されている状態で、前記第２の通信システムにおける着信が生じた場合、当該着信に係る着信通知を前記第１の通信システムによって受信し、その後、当該着信通知に対する着信応答を、前記第２の通信システムの種別に応じたフォーマットによって前記第１の通信システムへ通知する通知部を備える。
【００１８】
本発明に係る制御装置は、第１の通信システムに位置登録されているユーザ機器から、第２の通信システムの種別に応じたフォーマットによって通信要求を受信した場合、当該フォーマットに対応する種別の前記第２の通信システムの制御装置へ通信要求を通知する。
本発明に係る制御装置は、第１の通信システムに位置登録されているユーザ機器から、第２の通信システムの種別に応じたフォーマットによって着信応答を受信した場合、当該フォーマットに対応する種別の前記第２の通信システムの制御装置へ着信応答を通知する。
本発明に係る制御装置は、第１の通信システムに位置登録されているユーザ機器から、第２の通信システムの種別を識別するためのデータを伴って通信要求を受信した場合、当該データに対応する種別の前記第２の通信システムの制御装置へ通信要求を通知する。
本発明に係る制御装置は、第１の通信システムに位置登録されているユーザ機器から、第２の通信システムの種別を識別するためのデータを伴って着信応答を受信した場合、当該データに対応する種別の前記第２の通信システムの制御装置へ着信応答を通知する。
【発明の効果】
【００１９】
本発明によれば、無線端末装置において、複数の通信システムによりスムーズに対応することができる。
【図面の簡単な説明】
【００２０】
【図１】本発明の実施形態に係る携帯電話機の外観斜視図である。
【図２】本発明の実施形態に係る携帯電話機の機能を示すブロック図である。
【図３】本発明の実施形態に係るＬＴＥシステムのネットワークを利用時に音声着信があったときの処理を示すシーケンス図である。
【図４】本発明の実施形態に係るＬＴＥシステムのネットワークを利用時に音声発信要求があったときの処理を示すシーケンス図である。
【発明を実施するための形態】
【００２１】
以下、本発明の好適な実施形態の一例について説明する。なお、本実施形態では、無線端末装置の一例として携帯電話機１を説明する。
【００２２】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２３】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２４】
また、表示部側筐体３は、表面部２０に、各種情報を表示するための表示部２１と、通話の相手側の音声を出力するレシーバ２２と、を備えて構成されている。
【００２５】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２６】
図２は、本実施形態に係る携帯電話機１の機能を示すブロック図である。
携帯電話機１は、操作部１１と、表示部２１と、制御部３０と、通信部４０と、記憶部５０と、音声制御部６０とを備える。
【００２７】
制御部３０は、携帯電話機１の全体を制御しており、例えば、表示部２１、通信部４０等の各部に対して所定の制御を行う。また、制御部３０は、操作部１１や通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２８】
通信部４０は、所定の使用周波数帯（例えば、２ＧＨｚ帯や８００ＭＨｚ帯等）で外部装置（基地局）と通信を行う。そして、通信部４０は、アンテナより受信した信号を復調処理し、処理後の信号を制御部３０に供給し、また、制御部３０から供給された信号を変調処理し、アンテナから外部装置に送信する。
【００２９】
ここで、通信部４０は、本実施形態においては、音声及びデータ通信用の３Ｇ方式の通信プロトコルであるＷ−ＣＤＭＡ及びＣＤＭＡ２０００＿１ｘと、主に高速データ通信に用いられる通信プロトコルであるＬＴＥ方式との双方に対応しており、いずれのプロトコルの通信システムでも選択して通信可能である。通信部４０は、制御部３０からの指令に基づいて、いずれかのプロトコルにより基地局と通信を行う。なお、携帯電話機１は、データ通信時にはＬＴＥ方式（第１種通信方式）によるＬＴＥシステム（第１の通信システム）での通信を優先し、音声通話時には、３Ｇ方式（第２種通信方式）による３Ｇシステム（第２の通信システム）での通信へ切り替えるものとする。
【００３０】
記憶部５０は、例えば、ワーキングメモリを含み、制御部３０による演算処理に利用される。また、本実施形態に係る各種プログラム等を記憶する。さらに、記憶部５０は、ＳＩＭカード５１を含み、このＳＩＭカード５１（契約情報記録媒体）には、加入者情報と共に、契約している通信事業者を識別するデータが記憶されている。制御部３０は、識別された通信事業者から、サポートする通信システムを判定する。
【００３１】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナより出力する。
【００３２】
次に制御部３０の機能を詳述する。
制御部３０は、通知部３１と、同期部３２とを備え、音声通信の要求に応じて、ＬＴＥシステムから３Ｇシステムへのハンドオフ制御を行う。
【００３３】
通知部３１は、ＬＴＥシステムにおいて位置登録されている状態で、３Ｇシステムにおける通信要求が生じた場合、この通信要求を、３Ｇシステムを識別するためのデータを伴って、ＬＴＥシステムへ通知する。
【００３４】
具体的には、通知部３１は、ＳＩＭカード５１に記憶されている通信事業者を識別するデータに基づいて、サポートしている通信システム（Ｗ−ＣＤＭＡ又はＣＤＭＡ２０００＿１ｘ）を判定する。そして、通知部３１は、判定した通信システムで規定されているフォーマットで通信要求をＬＴＥシステムへ通知し、ＬＴＥシステムの制御装置は、このフォーマットの違い、あるいは、フォーマットに含まれる種別情報等から、通信システムを判定する。
【００３５】
なお、通信システムの判定は、通知部３１が通信要求を通知する際に行われてもよいが、携帯電話機１の電源が投入された時や、ＳＩＭカードが挿入された時等に予め行われてもよい。このことにより、３Ｇシステムへ移行する際の処理負荷が低減される。
【００３６】
同期部３２は、通知部３１により通知されたデータに基づいてＬＴＥシステムで識別された３Ｇシステム（Ｗ−ＣＤＭＡ又はＣＤＭＡ２０００＿１ｘ）における通信チャネルの同期情報受信し、この通信チャネルと同期して通信を開始する。
【００３７】
このとき、同期部３２は、同期情報として、通信チャネルの識別データと共に、ＬＴＥシステムのシステムタイムに対する３Ｇシステムのシステムタイムのオフセット量を、さらには、ＰＮ符号のオフセット及びウォルシュ符号等を受信する。同期部３２は、これらの同期情報に基づいて、割り当てられた通信チャネルを捕捉して同期する。
【００３８】
また、ＬＴＥシステムの制御装置（以下、ＬＴＥ制御装置という）は、ＣＳ  Ｆａｌｌｂａｃｋ機能のマッピングデータに基づいて、ＬＴＥシステムの呼出ゾーンに対応する３Ｇシステムの呼出ゾーンを判定し、この呼出ゾーンを管理する制御装置（以下、３Ｇ制御装置という）と連携して、各種通知データの送受信を行う。
【００３９】
図３は、本実施形態に係るＬＴＥシステムのネットワークを利用時に音声着信があったときの処理を示すシーケンス図である。
【００４０】
ステップＳ１において、携帯電話機１は、ＬＴＥ制御装置による管理の下、ＬＴＥシステムのネットワークを利用している。
【００４１】
ステップＳ２において、３Ｇ制御装置は、携帯電話機１に対する３Ｇシステムでの音声着信を受信する。例えば、ＬＴＥシステムでＷｅｂページを閲覧中に、音声着信が生じる場合等がある。
【００４２】
ステップＳ３において、３Ｇ制御装置は、ＣＳ  Ｆａｌｌｂａｃｋ機能により、ステップＳ２の音声着信を、ＣＳ及びＥＰＣを経由してＬＴＥ制御装置へ通知する。
【００４３】
ステップＳ４において、ＬＴＥ制御装置は、ステップＳ３で通知された音声着信に基づいて、携帯電話機１に対して、着信呼出を行う。
【００４４】
ステップＳ５において、携帯電話機１は、ステップＳ４の着信呼出に対する着信応答を、ＳＩＭカード５１が対応する３Ｇシステムの種別情報を含むフォーマットでＬＴＥ制御装置へ送信する。
【００４５】
ステップＳ６において、ＬＴＥ制御装置は、ステップＳ５の着信応答のフォーマットから３Ｇシステムの種別を判定し、ＥＰＣ及びＣＳを経由して、判定した３Ｇシステムについてマッピングデータにより対応付けされている３Ｇ制御装置へ、ＥＰＣ及びＣＳを経由して着信応答を通知する。
【００４６】
ステップＳ７において、３Ｇ制御装置は、着信応答を行った携帯電話機１が正規のユーザであることを確認するための認証処理を行う。なお、この認証処理は、省略可能である。
【００４７】
ステップＳ８において、３Ｇ制御装置は、着信応答を行った携帯電話機１が音声通話を行うために、３Ｇシステムにおいて割り当てる通信チャネルを決定する。
【００４８】
ステップＳ９において、３Ｇ制御装置は、ステップＳ８で割り当てられた通信チャネルと同期するための同期情報を、ＣＳ及びＥＰＣを経由してＬＴＥ制御装置へ通知する。
【００４９】
ステップＳ１０において、ＬＴＥ制御装置は、ステップＳ９で通知された３Ｇシステムの通信チャネルと同期するための同期情報を、携帯電話機１へ通知する。このとき、ＬＴＥ制御装置は、ＬＴＥシステムと比較して３Ｇシステムで用いられているシステムタイムのオフセット量を算出し、同期情報の一部とする。
【００５０】
ステップＳ１１において、携帯電話機１は、ステップＳ１０で取得した同期情報を用いて通信チャネルと同期し、３Ｇシステムとの通信を確立させる。
【００５１】
ステップＳ１２において、携帯電話機１は、ステップＳ１１で同期した通信チャネルを用いて、３Ｇシステムのネットワーク上での音声通信を行う。
【００５２】
ステップＳ１３において、携帯電話機１は、ステップＳ１２の音声通信が終了すると、３Ｇシステムよりも優先されるＬＴＥシステムのネットワークに復帰する。
【００５３】
図４は、本実施形態に係るＬＴＥシステムのネットワークを利用時に音声発信要求があったときの処理を示すシーケンス図である。
【００５４】
ステップＳ２１において、携帯電話機１は、ＬＴＥ制御装置による管理の下、ＬＴＥシステムのネットワークを利用している。
【００５５】
ステップＳ２２において、携帯電話機１は、ユーザから操作部１１等により音声通話の発信要求を受け付ける。例えば、ブラウザでＷｅｂページを閲覧中に、Ｐｈｏｎｅ  ｔｏ機能の割り当てられた（電話番号にリンクされるタグを有する）文字列を操作部１１にて選択し決定すると、ＬＴＥシステムでのデータ通信中に、音声通話の発信要求が生じることとなる。
【００５６】
ステップＳ２３において、携帯電話機１は、ステップＳ２２で受け付けた発信要求を、ＳＩＭカード５１が対応する３Ｇシステムの種別情報を含むフォーマットで、位置登録しているＬＴＥシステムのＬＴＥ制御装置へ通知する。
【００５７】
ステップＳ２４において、ＬＴＥ制御装置は、ステップＳ２３の発信要求のフォーマットから３Ｇシステムの種別を判定し、判定した３Ｇシステムについてマッピングデータにより対応付けされている３Ｇ制御装置へ、ＥＰＣ及びＣＳを経由して発信要求を通知する。
【００５８】
ステップＳ２５において、３Ｇ制御装置は、発信要求を行った携帯電話機１が正規のユーザであることを確認するための認証処理を行う。なお、この認証処理は、省略可能である。
【００５９】
ステップＳ２６において、３Ｇ制御装置は、発信要求を行った携帯電話機１が音声通話を行うために、３Ｇシステムにおいて割り当てる通信チャネルを決定する。
【００６０】
ステップＳ２７において、３Ｇ制御装置は、ステップＳ２６で割り当てられた通信チャネルと同期するための同期情報を、ＣＳ及びＥＰＣを経由してＬＴＥ制御装置へ通知する。
【００６１】
ステップＳ２８において、ＬＴＥ制御装置は、ステップＳ２７で通知された３Ｇシステムの通信チャネルと同期するための同期情報を、携帯電話機１へ通知する。このとき、ＬＴＥ制御装置は、ＬＴＥシステムと比較して３Ｇシステムで用いられているシステムタイムのオフセット量を算出し、同期情報の一部とする。
【００６２】
ステップＳ２９において、携帯電話機１は、ステップＳ２８で取得した同期情報を用いて通信チャネルと同期し、３Ｇシステムとの通信を確立させる。
【００６３】
ステップＳ３０において、携帯電話機１は、ステップＳ２９で同期した通信チャネルを用いて、３Ｇシステムのネットワーク上での音声通信を行う。
【００６４】
ステップＳ３１において、携帯電話機１は、ステップＳ３０の音声通信が終了すると、３Ｇシステムよりも優先されるＬＴＥシステムのネットワークに復帰する。
【００６５】
以上のように、本実施形態によれば、携帯電話機１は、音声通信を開始するためにＬＴＥシステムから３Ｇシステムへ移行する際に、対応する３Ｇシステムを指定した通信要求をＬＴＥシステムへ通知し、ＬＴＥシステムから３Ｇシステムの通信チャネルと同期するための情報を取得する。したがって、携帯電話機１は、３Ｇシステムを捕捉することなくＬＴＥシステムを介して３Ｇシステムにアクセスするので、３Ｇシステムに対応するためのソフトウェアの容量を低減できる。具体的には、呼制御における前半のプロセスである通信システムの選択、捕捉動作、待受け情報の取得及びアクセス動作に関するプログラムや、システム情報等の記憶領域が削減できる。
【００６６】
また、携帯電話機１は、自身が対応している通信システムの識別データをＬＴＥ制御装置へ通知するので、複数の３Ｇシステムが存在する場合においても、対応する通信システムの通信チャネルと容易に同期することができる。したがって、携帯電話機１は、複数の３Ｇシステムのそれぞれと通信可能となり、かつ、上述の呼制御のソフトウェアの容量を低減できる。
【００６７】
さらに、携帯電話機１は、音声通信の開始に伴ってＬＴＥシステムから３Ｇシステムへハンドオフする場合、ＬＴＥシステムと３Ｇシステムとの間のシステムタイムのオフセット量を受信するので、容易に通信チャネルを捕捉して同期できる。したがって、携帯電話機１は、３Ｇシステムへの遷移に掛かる処理負荷を低減し、処理時間を短縮できる。
【００６８】
また、携帯電話機１は、ＣＳ  Ｆａｌｌｂａｃｋ機能のマッピングデータに基づいて、３Ｇシステムの呼出ゾーンにおける通信チャネルが割り当てられるので、同期可能な通信チャネルが容易に決定され、処理負荷が低減される。
【００６９】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７０】
前述の実施形態におけるＷ−ＣＤＭＡ方式、ＣＤＭＡ２０００＿１ｘ方式及びＬＴＥ方式は一例に過ぎず、他の通信プロトコルであってもよい。位置登録の際のゾーン間の連携さえあれば、例えば、ＧＳＭ方式と他のデータ通信に特化した方式であっても同様である。
【００７１】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００７２】
１  携帯電話機（無線端末装置）
１１  操作部
２１  表示部
３０  制御部
３１  通知部
３２  同期部
４０  通信部
５０  記憶部
５１  ＳＩＭカード（契約情報記録媒体）
６０  音声制御部
【図１】
0005676236.tif 000002
【図２】
0005676236.tif 000003
【図３】
0005676236.tif 000004
【図４】
0005676236.tif 000005